(57)【要約】【課題】プラスチック針が突き刺し易く、突き刺したプラスチック針が脱落し難く、さらに、プラスチック針を刺したときに薬液が外部に漏れないようにしたバッグ栓及び薬液バッグの提供【解決手段】バッグ栓１は、筒状のバッグ栓本体２と、バッグ栓本体２に装着される第１、第２ゴム栓３、４と、バッグ栓本体２の上端開口に取り付けられるキャップ部材５とで構成されている。このバッグ栓本体２は、内部の中間部位にバッグ栓本体２の内部を薬液側と外部側に遮断する遮断壁１３が設けられている。キャップ部材５は、第１ゴム栓３のプラスチック針挿入部２０に対応する位置に、プラスチック針１１０が真っ直ぐ刺さるように導き、挿入されたプラスチック針１１０を周方向から支持するガイド部２５が設けられている。【選択図】            図１
2004313602.tif 000002
【特許請求の範囲】
【請求項１】
薬液バックの口部に取り付けられるバッグ栓において、
内部に薬液側と外部側を遮断する遮断壁を有する筒状のバッグ栓本体と、
前記バッグ栓本体の遮断壁より外部側の領域に装着し、その外部側端面に、常時は閉塞状態の細孔が底部に形成された円錐状に窪んだプラスチック針挿入部を１個又は複数個有するゴム栓と、
前記プラスチック針挿入部に対し、プラスチック針が真っ直ぐに挿入されるように導き、挿入されたプラスチック針を真っ直ぐに支持するガイド手段とを有するバッグ栓。
【請求項２】
前記ガイド手段が、プラスチック針挿入部の窪みに嵌まるように下側に窪んだ凹膜部を有するガイド部材であることを特徴とする請求項１に記載のバッグ栓。
【請求項３】
前記ガイド手段が、前記プラスチック針挿入部の窪みに沿って延在した複数のガイド片を、プラスチック針挿入部の窪みに沿って周方向に配設したガイド部材であることを特徴とする請求項１に記載のバッグ栓。
【請求項４】
前記凹膜部又はガイド片が、その表面にリブを有することを特徴とする請求項２又は３に記載のバッグ栓。
【請求項５】
前記ガイド手段が、プラスチック針挿入部の窪みの周りに鉛直方向に突出した突部を有することを特徴とする請求項１から４の何れかに記載のバッグ栓。
【請求項６】
前記ゴム栓に複数のプラスチック針挿入部を所定の半径方向距離で周方向に所定の間隔で配設し、前記ガイド手段として、プラスチック針で突き刺すことができ、かつ、前記複数のプラスチック針挿入部のうち幾つかのプラスチック針挿入部を覆うように周方向に所要の幅を備えた凹膜部を備えたガイド部材を備えていることを特徴とする請求項１に記載のバッグ栓。
【請求項７】
前記ゴム栓に複数のプラスチック針挿入部を同じ半径方向距離で周方向に所定の間隔で配設し、前記ガイド手段として、前記プラスチック針挿入部に対してゴム栓の内径側と外径側において、円周方向に連続した突起を備えたガイド部材を備えていることを特徴とする請求項１に記載のバッグ栓。
【請求項８】
前記ガイド部材が、前記内径側の突起と外径側の突起との間に、プラスチック針で突き刺すことができる凹膜部を備えていることを特徴とする請求項７に記載のバッグ栓。
【請求項９】
前記プラスチック針挿入部の細孔の中間部に内径が大きくなった部分があることを特徴とする請求項１から８の何れかに記載のバッグ栓。
【請求項１０】
前記ゴム栓が、バッグ栓本体の外部側領域に装着され、前記プラスチック針挿入部を有する第１ゴム栓と、前記第１ゴム栓と遮断壁との間に装着された第２ゴム栓とで構成されていることを特徴とする請求項１から９の何れかに記載のバッグ栓。
【請求項１１】
前記第１ゴム栓と第２ゴム栓との間に隙間を有することを特徴とする請求項１０に記載のバッグ栓。
【請求項１２】
前記第１ゴム栓の第２ゴム栓に対向する面が、プラスチック針挿入部に対応する位置で盛り上がっていることを特徴とする請求項１１に記載のバッグ栓。
【請求項１３】
請求項１から１２の何れかのバッグ栓を口部に取り付けたことを特徴とする薬液バッグ。
【発明の詳細な説明】
【０００１】
【発明の属する技術分野】
本発明は、点滴用の薬液や輸血用の血液などが封入される薬液バッグの口部を封口するバッグ栓、及び、そのバッグ栓を口部に取り付けた薬液バッグに関するものである。
【０００２】
【従来の技術】
薬液バッグ１００は、図８に示すように、点滴用の薬液や輸血用の血液などを封入するものである。薬液バッグ１００は、無菌室などで薬液が封入された後、口部１０１に上記バッグ栓１０２を取り付けて封口している（特許文献１）。薬液バッグ１００の口部１０１を封口するバッグ栓１０２は、ゴム栓１０３と、薬液バッグ１００の口部１０１に設けられたフランジ１０４に溶着され、前記ゴム栓１０３を薬液バッグ１００の口部１０１に固定するキャップ部材１０５とからなる。薬液バッグ１００内の薬液の抽出は、キャップ部材１０５の上部の開口１０６からゴム栓１０３に注射針やプラスチック製のプラスチック針を突き刺して行われている。
【０００３】
図９に示すプラスチック針１１０は、先端１１１がロケット頭部状に縮径した中空の針軸からなり、基端側に点滴セットなどの輸液配管のチューブ１１２の装着部１１３があり、先端側の側周面に中空部に開口した穴１１４が形成されたものである。プラスチック針１１０の中空部は薬液の流路１１５になる。プラスチック針１１０は、基端側に点滴セットなどのチューブ１１２を取付け、薬液バッグ１００のバッグ栓１０２のゴム栓１０３に突き刺して用いられる。薬液バッグ１００内の薬液は、プラスチック針１１０の先端側に形成された穴１１４からプラスチック針１１０内部の流路１１５を通って、点滴セットなどの輸液配管のチューブ１１２に抽出される。
【０００４】
【特許文献１】特開平６−３１５９４８号公報
【０００５】
【発明が解決しようとする課題】
バッグ栓１０２のゴム栓１０３に注射針を刺して使用すると、使用後の注射針は、病原菌の汚染防止などのために、廃棄に十分な配慮を必要とする問題があり、注射針を使用する分だけコスト高になるという問題があった。また、近年、注射針の誤射などの問題があり、注射針の使用を少なくしたいとの要望がある。このため、注射針に代わるゴム栓１０３への挿入用の器具として、上述したプラスチック針１１０が提案されている。
【０００６】
しかし、従来のバッグ栓１０２のゴム栓１０３は、薬液バッグ１００内の液体から圧力を受けても耐え得るように、所要の厚さと剛性を備えており、プラスチック製のプラスチック針では突き刺しにくいものになっている。このため医療現場では、ゴム栓１０３への挿入用の器具としては、プラスチック製のプラスチック針１１０よりも突き刺し易い注射針が使われていることが多い。また、プラスチック針１１０は、注射針に代わり、薬液バッグ１００のバッグ栓１０２のゴム栓１０３などに突き刺す器具として用いられているが、バッグ栓１０２から脱落し易いという問題がある。また、プラスチック針１１０は、金属製の注射針に比べて外径が太く、プラスチック針１１０を突き刺したときにゴム栓に亀裂が生じ易く、亀裂に沿って毛細血管現象により、薬液が外部に滲み出る不具合が生じ易い。
【０００７】
また、医療現場では、ゴム栓に対してプラスチック針が同時に２本挿入されることが良くあるが、プラスチック針が斜めに挿入されると、ゴム栓の出口近くで針孔同士が近接して、針孔からの亀裂が繋がって大きくなる場合や栓を出たプラスチック針同士が接触して、押し合う力で亀裂が大きくなる場合があり、薬液が滲み出す不具合も生じている。また、プラスチック針が長時間薬液バッグのゴム栓に刺し込まれたままの状態で放置されることも多く、このような場合には、例えば、配管などから外力を受けたときに、刺し込まれたプラスチック針が振れて針と孔に間隙が生じて薬液が滲み出す不具合が生じる。斯かる不具合が生じる場合には、テープを薬液が滲み出す所に貼り付けて、薬液が滲み出すのを防止するなどの処置が必要になる。
【０００８】
そこで、本発明は、プラスチック針が突き刺し易く、突き刺したプラスチック針が脱落し難く、さらに、プラスチック針を刺したときに薬液が外部に漏れないようにしたバッグ栓及び薬液バッグを提供することを目的としている。
【０００９】
【課題を解決するための手段】
本発明に係るバッグ栓は、内部に薬液側と外部側を遮断する遮断壁を有する筒状のバッグ栓本体と、バッグ栓本体の遮断壁より外部側の領域に装着し、その外部側端面に、常時は閉塞状態の孔が底部に形成された円錐状に窪んだプラスチック針挿入部を１個又は複数個有するゴム栓と、プラスチック針挿入部に対し、プラスチック針が真っ直ぐに挿入されるように導き、挿入されたプラスチック針を真っ直ぐに支持するガイド手段とを有している。
【００１０】
このバッグ栓のゴム栓のプラスチック針挿入部とガイド手段は、プラスチック針を刺したときに、プラスチック針がゴム栓に対して真っ直ぐに刺さることを確保する。これにより、プラスチック針を刺したときに外部に薬液が漏れるのを防止することができる。また、遮断壁は、特に薬液を長期保存するような場合に、薬液とゴム栓が接触することを防止し、ゴムの成分が薬液中に溶出するのを防止する作用を奏する。
【００１１】
ガイド手段は、例えば、プラスチック針挿入部の窪みに嵌まるように下側に窪んだ凹膜部を有するガイド部材とすることができる。また、ガイド手段は、プラスチック針挿入部の窪みに沿って延在した複数のガイド片を、プラスチック針挿入部の窪みに沿って周方向に配設したガイド部材とすることもできる。
【００１２】
前記凹膜部又はガイド片は、その表面にリブを有しているとよい。この場合、凹膜部やガイド片は、プラスチック針が刺し込まれたときに、凹膜部やガイド片の表面に設けたリブの分だけ、ゴム栓のプラスチック針挿入部近傍の弾性変形量が大きくなり、ゴム栓の半径方向の弾性反力が大きくなり、プラスチック針の支持力を大きくすることができる。
【００１３】
また、ガイド手段は、プラスチック針挿入部の窪みの周りに鉛直方向に突出した突部を有したものとしてもよい。
【００１４】
また、ゴム栓に複数のプラスチック針挿入部を同じ半径方向距離で周方向に所定の間隔で配設し、ガイド手段として、プラスチック針で突き刺すことができ、かつ、前記複数のプラスチック針挿入部のうち幾つかのプラスチック針挿入部を覆うように周方向に所要の幅を備えた凹膜部を備えたガイド部材を用いてもよい。
【００１５】
また、ゴム栓に複数のプラスチック針挿入部を同じ半径方向距離で周方向に所定の間隔で配設し、ガイド手段として、プラスチック針挿入部に対してゴム栓の内径側と外径側において、円周方向に連続した突起を備えたガイド部材を用いてもよい。この場合、ガイド部材は、内径側の突起と外径側の突起との間に、プラスチック針で突き刺すことができる凹膜部を備えていることが望ましい。また、プラスチック針挿入部の細孔の中間部に内径が大きくなった部分を設け、細孔の中間部位でプラスチック針を突き刺すときの抵抗を緩和し、プラスチック針が真っ直ぐに突き刺さるようにするとよい。
【００１６】
また、ゴム栓は、バッグ栓本体の外部側領域に装着され、プラスチック針挿入部を有する第１ゴム栓と、第１ゴム栓と遮断壁との間に装着された第２ゴム栓とで構成するとよい。この第２ゴム栓は、プラスチック針が刺さったときに、第２ゴム栓と第１ゴム栓との間で薬液の漏れを防止するための一つ目のシール部材としての作用を奏し、第１ゴム栓と第２ゴム栓との間で薬液が外部に漏れるのを防止することができる。また、第２ゴム栓は、バッグ栓のプラスチック針を真っ直ぐに保持する作用に寄与する。この場合、第１ゴム栓と第２ゴム栓との間に隙間を設けることが望ましく、さらに、第１ゴム栓の第２ゴム栓に対向する面がプラスチック針挿入部に対応する位置で盛り上がっていることが望ましい。
【００１７】
これらのバッグ栓を口部に取り付けた薬液バッグは、プラスチック針を刺したときに、プラスチック針を真っ直ぐ刺さった状態で保持することができ、漏れが生じない薬液バッグにすることができる。また、プラスチック針が同時に２本挿入される場合や、長時間バッグにセットされたまま放置された場合でも薬液の漏れやプラスチック針の抜けなどの不具合を無くすことができる。
【００１８】
【発明の実施の形態】
以下、本発明に係るバッグ栓及び薬液バッグの実施の形態を図面に基づいて説明する。なお、同一の作用を奏する部材・部位には同じ符号を付して重複する説明を省略する。
【００１９】
第１実施形態に係るバッグ栓１は、図１（ａ）（ｂ）に示すように、筒状のバッグ栓本体２と、バッグ栓本体２に装着される第１、第２ゴム栓３、４と、バッグ栓本体２の上端開口に取り付けられるキャップ部材５とで構成されている。
【００２０】
このバッグ栓本体２は、略円筒状の部材であり、下端に薬液バッグ５０の口部５１のフランジ５２（図２（ａ）参照）に融着させるフランジ１１を備えている。バッグ栓本体２の外周にはキャップ部材５を装着するための係合部１２を有する。バッグ栓本体２の内部の中間部位には、図１に示すように、バッグ栓本体２の内部を薬液側と外部側に遮断する遮断壁１３が設けられている。遮断壁１３の周縁部１３ａは、所要の厚さ及び剛性を備えており、バッグ栓本体２に装着した第２ゴム栓４を支持している。遮断壁１３の中央部１３ｂは、周縁部１３ａに比べて厚みを薄く形成しており、プラスチック針１１０を突き刺すときの抵抗を小さくして、プラスチック針１１０で突き刺すことが容易にできるようになっている。
【００２１】
バッグ栓本体２内において、遮断壁１３の上に装着される第２ゴム栓４は、略円板状のゴム材であり、プラスチック針１１０を突き刺すことが容易にでき、かつ、プラスチック針１１０を突き刺したときに、裂けずにプラスチック針１１０が突き刺さった穴がプラスチック針１１０に密着するように、突き刺し易い柔らかく、亀裂が入り難いゴム（例えば、シリコーンゴム）を用いて製造している。この第２ゴム栓４の周縁部１５は、第２ゴム栓４と第１ゴム栓３との間に隙間Ｓを形成するため、上方に突出している。
【００２２】
バッグ栓本体２内において、第２ゴム栓４の上に装着される第１ゴム栓３は、略円板状のゴム部材であり、複数（図示例では３つ）のプラスチック針挿入部２０を有する。プラスチック針挿入部２０は、図１（ｂ）に示すように、それぞれ円錐形状の窪み２１と、その中心底部から第１ゴム栓３の中間位置までの深さがある細孔２２を有する。なお、この実施形態では、細孔２２は第１ゴム栓３を貫通していないが、第１ゴム栓３を貫通したものでもよい。
【００２３】
この第１ゴム栓３は、バッグ栓本体２の内径よりも少し大きい直径を有しており、或いは、周方向に部分的に外径方向に突出した突部を有し、バッグ栓本体２の内径よりも大きくなっており、バッグ栓本体２に圧入されるようになっている。これにより、プラスチック針挿入部２０に設けた細孔２２は、常時は、周囲から弾性反力を受けて細孔２２の内周面が圧着されて閉塞状態になっている。この実施形態では、第１ゴム栓３と第２ゴム栓４の接触部は、第２ゴム栓４の上端に突起２３を設けるとともに、第１ゴム栓３の下面に窪み２４を設けて、これを嵌め合わせている。また、第１ゴム栓３の下面は、プラスチック針挿入部２０に対応する位置２９を盛り上げている。なお、この第１ゴム栓３には、例えば、ブタジエンゴム、ブチルゴムなど、通常、薬液バッグのゴム栓に良く用いられるゴム材料を用いるとよい。
【００２４】
次に、キャップ部材５は、図１（ｂ）に示すように、バッグ栓本体２の上端開口（外部側の開口）を覆うように装着した部材であり、第１ゴム栓３のプラスチック針挿入部２０に対応する位置に、プラスチック針１１０が真っ直ぐ刺さるように導き、挿入されたプラスチック針１１０を真っ直ぐに支持するガイド手段としてのガイド部２５が設けられている。
【００２５】
このガイド部２５は、第１ゴム栓３に形成されたプラスチック針挿入部２０の窪みに嵌まるように下側に窪んだ円錐形状の凹膜部２６と、凹膜部２６の周囲においてキャップ部材５の上面に突設した環状突部２７を有している。凹膜部２６は、全体として肉厚が薄く、特に底部が破れ易いように、窪みの底側に向けて肉厚が徐々に薄くなっている。また、この凹膜部２６には、図１（ａ）に示すように、底部から放射状に延在したリブ２８を設けている。また、この凹膜部２６の窪みは、挿入されるプラスチック針１１０の先端の形状に対応させて、その縦断面を所定の角度にしている。なお、凹膜部２６の先端は、プラスチック針１１０で突き破り易いように、薄肉であることが好ましく、より好ましくは先端が開口していてもよい。また、環状突部２７は、プラスチック針１１０の外径より少し大きい内径で形成されており、プラスチック針１１０を刺し込むときに、プラスチック針１１０をガイドするようになっている。
【００２６】
このバッグ栓１は、図２（ｂ）に示すように、薬液バッグ５０の口部５１のフランジ５２に、バッグ栓本体２のフランジ１１を融着させて取り付ける。薬液バッグ５０は、点滴などで使用する時は、図３に示すように、バッグ栓１を取り付けた口部５１を下に向けて吊り下げられる。
【００２７】
バッグ栓１のガイド部２５にプラスチック針１１０を挿入すると、図３に示すように、プラスチック針１１０は、その先端がキャップ部材５のガイド部２５の凹膜部２６に嵌まり、プラスチック針１１０の刺し込み位置が自動的に位置決めされるようになっており、また、ガイド部２５に対してプラスチック針１１０を真っ直ぐにセットすることができる。
【００２８】
プラスチック針１１０を刺し込むと、プラスチック針１１０は、図４に示すように、ガイド部２５の凹膜部２６、第１ゴム栓３、第２ゴム栓４及び遮断壁１３を順に真っ直ぐに突き破って、先端が薬液バッグ５０内に到達する。
【００２９】
ガイド部２５は、環状突部２７と共に、プラスチック針１１０によって突き破ぶられた凹膜部２６によってプラスチック針１１０が第１ゴム栓３に対して真っ直ぐに刺さるように、プラスチック針１１０をガイドする。
【００３０】
なお、このガイド部２５の凹膜部２６には、底部から放射状に突出したリブ２８を設けているので、凹膜部２６はリブ２８に沿って裂けて突き破られる。また、凹膜部２６にリブ２８を設けることにより、凹膜部２６が第１ゴム栓３を押し込む量が大きくなり、第１ゴム栓３のプラスチック針挿入部２０近傍の変形量が大きくなる。このため、凹膜部２６が周方向からプラスチック針１１０を支持する力（ガイドする作用）が大きくなる。また、ガイド部２５の凹膜部２６の表面にリブ２８を設けることにより、プラスチック針１１０と凹膜部２６との接触面積が小さくなるので、プラスチック針１１０を突き刺すときの抵抗を軽減することができ、プラスチック針１１０が突き刺し易くなる。
【００３１】
プラスチック針１１０を刺し込むと、プラスチック針１１０は、ガイド部２５の環状突部２７にガイドされると共に、突き破った凹膜部２６にガイドされて、第１ゴム栓３のプラスチック針挿入部２０の細孔２２に真っ直ぐに刺さる。そして、プラスチック針１１０は、第１ゴム栓３の細孔２２に沿って真っ直ぐに刺さっていくので、プラスチック針１１０を第１ゴム栓３に対して確実に真っ直ぐ刺すことができる。
【００３２】
プラスチック針１１０は、ガイド部２５を突き破った後、図４に示すように、第１ゴム栓３、第２ゴム栓４及び遮断壁１３を順に真っ直ぐに突き破って、薬液バッグ５０内に到達する。このように、このバッグ栓１では、プラスチック針１１０を真っ直ぐに刺すことが出来るので、第１ゴム栓３及び第２ゴム栓４に亀裂が生じ難く、毛細血管現象により薬液が滲み出すのを防止することができる。また、このバッグ栓１に刺し込まれたプラスチック針１１０は、ガイド部２５にガイドされ各ゴム栓３、４に対して真っ直ぐに突き刺さるので、第１ゴム栓３と第２ゴム栓４により、真っ直ぐに刺さった状態で強固に保持される。またプラスチック針１１０の外周には、第１ゴム栓３及び第２ゴム栓４が密着して、プラスチック針１１０と各ゴム栓３、４との間に間隙が生じ難いので、薬液が外部に漏れることはない。
【００３３】
また、通常の点滴などの使用時には、例えば、プラスチック針１１０に取り付けられたプラスチック配管などを介して、プラスチック針１１０に突発的にプラスチック針１１０をバッグ栓１から抜くように外力が加わることがある。このような場合に、第２ゴム栓４の密着が周方向に部分的に一瞬緩むことがあるが、薬液はまず第１ゴム栓３と第２ゴム栓４の間の隙間Ｓに漏れるので外部に漏れない。また、第１ゴム栓３の下面のプラスチック針挿入部２０に対応する位置２９を盛り上げているので、隙間Ｓに漏れた薬液はプラスチック針挿入部２０から離れた位置に溜まり、プラスチック針挿入部２０を伝って外部に漏れることはない。また、この実施形態では、第１ゴム栓３と第２ゴム栓４の接触部は、第２ゴム栓４の上端に突起２３を設けるとともに、第１ゴム栓３の下面に窪み２４を設けて、これを嵌め合わせることにより接触面積を大きくし、外部への液漏れを防止している。
【００３４】
以上、本発明の第１実施形態に係るバッグ栓を説明したが、本発明に係るバッグ栓は、上述した実施形態に限定されるものではない。
【００３５】
例えば、上述したガイド部２５は、好適な実施の形態として、凹膜部２６と環状突起２７を組み合わせ、凹膜部２６と環状突起２７がそれぞれ協働してプラスチック針１１０が真っ直ぐに刺さるように、プラスチック針１１０をガイドする機能を備えた形態を例示したが、上述した凹膜部２６と環状突起２７はそれぞれ独立して、プラスチック針１１０が真っ直ぐに刺さるようにガイドする機能を備えている。従って、本発明の「ガイド手段」としては、上記実施形態の凹膜部２６のみを備え環状突起２７を備えていない形態、又は、環状突起２７のみを備え凹膜部２６を備えていない形態でもよい。
【００３６】
また、ガイド部２５は第１ゴム栓３のプラスチック針挿入部２０の窪み２１に沿って、周方向に膜状に連続した円錐状の凹膜部２６を有するものを例示したが、プラスチック針１１０の挿入をより容易なものにするため、斯かる凹膜部２６に替えて、環状突起２７から第１ゴム栓３のプラスチック針挿入部２０の窪み２１に沿って延在した複数のガイド片を周方向に所定の間隔で設けたものにしてもよい。このガイド部によれば、プラスチック針１１０を刺し込むと、プラスチック針１１０によってガイド片の先端側が押し広げられて、プラスチック針１１０が第１ゴム栓３に真っ直ぐに突き刺さるように、プラスチック針１１０をガイドすることができる。この場合、凹膜部２６を突き破ってプラスチック針１１０を挿入する場合に比べて、プラスチック針１１０を挿入するときのガイド部の抵抗を小さくすることができる。このようなガイド片は、上述した凹膜部２６に、周方向の所定の間隔を隔てて間欠的に、凹膜部２６の中心から半径方向に切り込みを入れて形成してもよい。
【００３７】
また、ガイド部に形成される凹膜部２６や上述したガイド片の表面に突起を設けることにより、プラスチック針１１０を刺し込んだときに、第１ゴム栓３のプラスチック針挿入部２０の近傍を大きく変形させることができる。これにより、プラスチック針１１０を刺し込んだときに、第１ゴム栓３の弾性反力が大きくなり、プラスチック針１１０の支持力を大きくすることができる。この場合、突起を設ける面は、外部に露出した側の面でも良いし、ゴム栓と接触する側の面でも良い。なお、外部に露出した側の面に突起を設けることにより、プラスチック針１１０と、凹膜部２６又はガイド片の接触面積を小さくすることができるので、プラスチック針１１０を刺し込むときの抵抗を小さくすることができる。図１に示すガイド部２５では、凹膜部２６の表面に設けたリブ２８がこの突起と同様の作用を奏している。
【００３８】
次に、第２実施形態に係るバッグ栓を説明する。なお、第１実施形態に係るバッグ栓と同じ作用を奏する部材又は部位については、第１実施形態に係るバッグ栓と同じ符号を付して説明する。
【００３９】
このバッグ栓６０は、図５（ａ）〜（ｃ）に示すように、複数のプラスチック針挿入部２０が第１ゴム栓３の中心から同じ半径方向距離において周方向に等間隔に設けられている。（図示例では６つのプラスチック針挿入部が６０度間隔で設けられている。）また、キャップ部材５は、半径方向、第１ゴム栓３にプラスチック針挿入部２０が設けられた位置に対して、内径側と外径側においてそれぞれ円周方向に連続した突起６１、６２と、内径側の突起６１と外径側の突起６２の間に設けたプラスチック針１１０で突き破ることができる凹膜部６３とを備えたガイド部６４を備えている。
【００４０】
凹膜部６３は、半径方向の縦断面において、中央部に向けて徐々に肉厚が薄くなっており、中央部はプラスチック針１１０で簡単に突き破ることができる程度に薄くなっている。斯かる凹膜部６３は、可撓性のあるプラスチック材料で形成するとよく、また、凹膜部６３の上から第１ゴム栓３のプラスチック針挿入部２０の中心が透けて見えるように、透明のプラスチック材料を用いるとよい。また、凹膜部６３は、第１ゴム栓３に設けた複数のプラスチック針挿入部２０のうち、幾つかのプラスチック針挿入部２０が確実に凹膜部６３の下に位置するように、周方向に所要の幅を備えている。図示例の凹膜部６３は、周方向に３つに分かれた扇状に形成されており、各凹膜部６３の分断部分６５は肉厚を少し厚くして、キャップ部材５の所要の剛性を確保している。この実施形態によれば、キャップ部材５と第１ゴム栓３の周方向の位置関係によらず、少なくとも３つのプラスチック針挿入部２０が凹膜部６３の下に位置し、使用できるようになっている。なお、図示例の凹膜部６３は、半径方向の縦断面において、中央がＵ字形に窪んだ形状のものを例示しているが、半径方向の縦断面において、中央がＶ字形に窪んだ形状にしてもよい。このように、半径方向の縦断面において、中央が窪んだ形状にすることにより、プラスチック針１１０をプラスチック針挿入部２０の中心に突き刺し易くなる。
【００４１】
また、図示例の突起６１、６２は、図５（ａ）に示すように、第１ゴム栓３のプラスチック針挿入部２０が設けられた位置の内径側と外径側において、円周方向に連続しているが、プラスチック針１１０は凹膜部６３に突き刺すので、凹膜部６３が設けられた位置に対応して分断されたものでもよい。
【００４２】
このバッグ栓６０は、第１実施形態のものと同様、薬液バッグ５０の口部５１に取り付ける。このバッグ栓６０にプラスチック針１１０を突き刺すときは、ガイド部６４の凹膜部６３の上から第１ゴム栓３のプラスチック針挿入部２０に向けて、プラスチック針１１０を突き刺し、ガイド部６４の凹膜部６３、第１ゴム栓３、第２ゴム栓４、遮断壁１３を順に突き破って、プラスチック針１１０の先端を薬液バッグ５０内に到達させる。このとき、プラスチック針１１０は、第１ゴム栓３のプラスチック針挿入部２０の内径側と外径側に設けられたガイド部６４の円弧状の突起６１、６２によって、第１ゴム栓３のプラスチック針挿入部２０に真っ直ぐに突き刺さるようにガイドされる。これによりプラスチック針１１０が真っ直ぐに刺し込まれるので、各ゴム栓３、４に亀裂が生じ難く、毛細血管現象により亀裂に沿って薬液が外部に滲み出す不具合が生じない。また、プラスチック針１１０は、突き破ったガイド部６４の凹膜部６３を摺動して、第１ゴム栓３に挿入されるので、挿入時の抵抗も軽減される。斯かる凹膜部６３の作用は、上述した第１実施形態のバッグ栓１のガイド部２５の凹膜部２６と同じである（図１、図４参照）。
【００４３】
このバッグ栓６０によれば、第１ゴム栓３のプラスチック針挿入部２０が周方向に等間隔に設けられており、かつ、キャップ部材５に設けたガイド部６４が第１ゴム栓３に設けた複数のプラスチック針挿入部２０のうち、幾つかのプラスチック針挿入部２０が確実に使用できるように、周方向に所要の幅を備えているので、製造面において第１ゴム栓３とキャップ部材５との周方向の位置合わせが不要であり、製造作業を簡易化することができる。
【００４４】
以上、ガイド手段としての機能を備えたキャップ部材に持たせたバッグ栓及び薬液バッグを例示したが、本発明はこれに限定されない。例えば、ガイド手段の機能を備えた部材を、キャップ部材５とは別部材にして、キャップ部材に取り付けても良いし、また、第１ゴム栓３にその機能を持たせても良い。
【００４５】
次に、本発明の第３実施形態として、第１ゴム栓３にガイド手段としての機能を持たせたバッグ栓を例示する。
【００４６】
このバッグ栓７０は、図６（ａ）（ｂ）に示すように、第１ゴム栓７１に設けたプラスチック針挿入部２０の周縁部に、プラスチック針１１０の外径より少し大きな内径を有する環状突起７２を突設したガイド部７３を備えている。なお、この形態に係るバッグ栓７０のキャップ部材７４は、第１ゴム栓７１の上縁部７４を押えている。
【００４７】
次に、本発明の第４実施形態に係るバッグ栓を説明する。このバッグ栓は、図７に示すように、細孔２２の中間部に内径が大きくなった部分３１を設けたことを特徴としている。この場合、細孔２２の中間部に内径が大きくなった部分３１を設けたことにより、細孔２２の中間部位でプラスチック針１１０を突き刺すときの抵抗が緩和されるので、プラスチック針１１０を真っ直ぐに挿入し易い。
【００４８】
以上、本発明のバッグ栓の実施形態を説明したが、本発明は上記の実施形態に限定されるものではない。
【００４９】
例えば、上述した実施形態では、プラスチック針挿入部を設けたゴム栓は、第１ゴム栓と第２ゴム栓を備えた２段構造にし、第１ゴム栓と第２ゴム栓の間に隙間Ｓを設けたものを例示したが、これには限定されない。例えば、単に、プラスチック針挿入部を備えたゴム栓をバッグ栓本体に装着したものでもよい。また、ゴム栓を２段構造にし、第１ゴム栓と第２ゴム栓の間に隙間Ｓを設けないようにしてもよい。
【００５０】
また、上述した実施形態では、第２ゴム栓の周縁部を上方に突出させて、第２ゴム栓４と第１ゴム栓３との間に隙間Ｓを形成しているが、第１ゴム栓の周縁部を下方に突出させて隙間Ｓを形成したり、第１ゴム栓と第２ゴム栓との間にリング状のスペーサを設けて隙間Ｓを形成したりしてもよい。
【００５１】
また、プラスチック針挿入部２０に設ける円錐状の窪みの底部に形成した細孔２２は、プラスチック針１１０を挿入する前に第１ゴム栓を貫通していないものを例示したが、斯かる細孔２２は第１ゴム栓を貫通しているものでもよい。
【００５２】
【発明の効果】
本発明に係るバッグ栓は、内部に薬液側と外部側を遮断する遮断壁を有する筒状のバッグ栓本体と、バッグ栓本体の遮断壁より外部側の領域に装着し、その外部側端面に、常時は閉塞状態の孔が底部に形成された円錐状に窪んだプラスチック針挿入部を１個又は複数個有するゴム栓と、プラスチック針挿入部に対し、プラスチック針が真っ直ぐに挿入されるように導き、挿入されたプラスチック針を真っ直ぐに支持するガイド手段とを有しているので、プラスチック針を真っ直ぐに突き刺すことができる。このため、ゴム栓に亀裂が生じ難く、毛細血管現象によって、亀裂に沿って薬液が外部に滲み出る不具合が生じない。また、突き刺したプラスチック針が強固に保持され、脱落し難い。また、ゴム栓を２段構成にすることにより、第１ゴム栓と第２ゴム栓の間で漏れた薬液が外部に滲み出るのを防止することが出来る。この場合、第１ゴム栓と第２ゴム栓との間に隙間を設けると良く、さらに、第１ゴム栓の下面のプラスチック針挿入部に対応する位置を盛り上げた形状にすることにより、薬液が外部に滲み出るのをより確実に防止することができる。
【図面の簡単な説明】
【図１】（ａ）は本発明の一実施形態に係るバッグ栓の平面図、（ｂ）は（ａ）のＡ−Ａ断面図である。
【図２】（ａ）は本発明の一実施形態に係る薬液バッグの口部の拡大縦断面図、（ｂ）は薬液バッグの全体図である。
【図３】本発明の一実施形態に係る薬液バッグの使用状態を示す図。
【図４】本発明の一実施形態に係る薬液バッグの使用状態を示す図。
【図５】（ａ）はバッグ栓の変形例を示すキャップ部材の上端面図、（ｂ）は（ａ）のＡ−Ａ断面矢視図、（ｃ）はこの変形例に係るバッグ栓のＢ−Ｂ断面矢視図である。
【図６】バッグ栓の変形例を示す断面図である。
【図７】バッグ栓の変形例を示す断面図である。
【図８】薬液バッグを示す断面図である。
【図９】プラスチック針を示す断面図である。
【符号の説明】
１    バッグ栓
２    バッグ栓本体
３    第１ゴム栓
４    第２ゴム栓
５    キャップ部材
１３  遮断壁
２５  ガイド部
Ｓ    第１ゴム栓と第２ゴム栓との間の隙間
【図１】
2004313602.tif 000003
【図２】
2004313602.tif 000004
【図３】
2004313602.tif 000005
【図４】
2004313602.tif 000006
【図５】
2004313602.tif 000007
【図６】
2004313602.tif 000008
【図７】
2004313602.tif 000009
【図８】
2004313602.tif 000010
【図９】
2004313602.tif 000011